(57)【要約】【課題】回路構成体について、組み付け作業時の位置合わせを簡略化する。【解決手段】回路構成体１０は、位置合わせ孔１７を有するアッパーケース１２と、アッパーケース１２に配設されたインダクタ１３に設けられると共に貫通孔２２を有するバスバー１４と、電線２４に接続されると共に、貫通孔２２を貫通するボルト３０が配設された端子１５と、ボルト３０に螺合されることにより、端子１５との間でバスバー１４を挟み付けるナット３３と、アッパーケース１２に組み付けられるロアケース１１と、を備え、ロアケース１１は、ロアケース１１から上方に突出すると共に端子１５と接触することにより端子１５をロアケース１１に対して位置合わせする前壁３８、左壁３９及び右壁４０と、ロアケース１１から上方に突出すると共に位置合わせ孔１７内に挿通されるケース位置合わせ部３５と、を有する。【選択図】図１
2020092023.tif 000002
【特許請求の範囲】
【請求項１】
位置合わせ孔を有するアッパーケースと、
前記アッパーケースに配設された機器に設けられると共に貫通孔を有するバスバーと、
電線に接続されると共に、前記貫通孔を貫通するボルトが配設された端子と、
前記ボルトに螺合されることにより、前記端子との間で前記バスバーを挟み付けるナットと、
前記アッパーケースに組み付けられるロアケースと、を備え、
前記ロアケースは、前記ロアケースから上方に突出すると共に前記端子と接触することにより前記端子を前記ロアケースに対して位置合わせする端子位置合わせ部と、前記ロアケースから上方に突出すると共に前記位置合わせ孔内に挿通されるケース位置合わせ部と、を有する回路構成体。
【請求項２】
前記ナットが前記ボルトに螺合されて、前記ナットと前記端子との間に前記バスバーが挟み付けられた状態で、前記端子は前記端子位置合わせ部と離間している、請求項１に記載の回路構成体。
【請求項３】
前記ロアケースは、前記ロアケースから突出する抜け止め部を有し、前記抜け止め部は、前記端子と対向する対向部を有する、請求項１または請求項２に記載の回路構成体。
【請求項４】
前記バスバーのうち前記端子と対向する面には、前記貫通孔の孔縁部にテーパ面が形成されている、請求項１から請求項３のいずれか一項に記載の回路構成体。
【発明の詳細な説明】
【技術分野】
【０００１】
本明細書に開示された技術は、回路構成体に関する。
【背景技術】
【０００２】
従来、機器に設けられた第１の導電部材と、第１の導電部材に接続される第２の導電部材と、を備えた回路構成体の一例として、下記の構成が知られている。機器に設けられた第１の導電部材の上に第２の導電部材の一方の端部が重ねられた状態で、第１の導電部材と第２の導電部材とが、接続ねじとナットによって接続されている。第２の導電部材の他方の端部は、ナットが組み付けられた端子台の上に重ねられて、接続ねじとナットによって端子台に固定されている。これにより、機器と、第１の導電部材と、第２の導電部材と、端子台とが、電気的に接続されるようになっている。
【０００３】
上記の回路構成体として、例えば、特開２０１３−２３４８５６号公報に記載のものが挙げられる。
【先行技術文献】
【特許文献】
【０００４】
【特許文献１】特開２０１３−２３４８５６号公報
【発明の概要】
【発明が解決しようとする課題】
【０００５】
上記の技術によると、第１の導電部材と、第２の導電部材と、端子台との位置合わせに難渋するという問題があった。以下に説明する。
【０００６】
第１の導電部材と、第２の導電部材の一方の端部には、接続ねじが貫通する貫通孔が設けられている。第１の導電部材の貫通孔と、第２の導電部材の貫通孔とを整合させようとしても、第２の導電部材の下方に第１の導電部材が隠れてしまうので、第２の導電部材の貫通孔を直接に視認することが困難である。仮に、第２の導電部材に設けられた貫通孔から下方を覗いたとしても、貫通孔から視認できる視野は極めて狭いので、やはり、第１の導電部材と第２の導電部材とを位置決めするのは困難である。
【０００７】
同様の状況は、第２の導電部材の他方の端部と、端子台とが接続ねじとナットによって固定される部分においても生じうる。第２の導電部材の下方に隠れて端子台を直接に視認することは困難であるし、第２の導電部材の他方の端部に設けられた貫通孔から視認できる狭い視野から端子台の位置を確認することは容易ではない。
【０００８】
また、第２の導電部材の他方の端部と端子台との間には、回路構成体を構成する各部品の公差の範囲内で隙間が生じる場合がある。第２の導電部材の他方の端部と端子台とは、接続ねじと、端子台に組み付けられたナットとによって固定される。このナットは端子台に固定されている。このため、第２の導電部材の他方の端部と端子台との間に隙間が生じた状態で、接続ねじをナットに螺合すると、第２の導電部材及び端子台の双方又は一方が歪むことが懸念される。この歪みにより、端子台に不具合が生じる虞がある。また、第２の導電部材が歪んだ場合には、この歪みが第１の導電部材から機器に伝達され、機器に不具合が生じる虞がある。
【０００９】
上記の問題に対応するため、回路構成体を構成する各部品の寸法精度を高めることにより、第２の導電部材と端子台との位置合わせを図ることが考えられる。しかし、この方法によれば、回路構成体の製造コストが増大するので現実的でない。
【００１０】
本明細書に開示された技術は上記のような事情に基づいて完成されたものであって、組み付け時の位置合わせが簡略化された回路構成体を提供することを目的とする。
【課題を解決するための手段】
【００１１】
本明細書に開示された技術は、回路構成体であって、位置合わせ孔を有するアッパーケースと、前記アッパーケースに配設された機器に設けられると共に貫通孔を有するバスバーと、電線に接続されると共に、前記貫通孔を貫通するボルトが配設された端子と、前記ボルトに螺合されることにより、前記端子との間で前記バスバーを挟み付けるナットと、前記アッパーケースに組み付けられるロアケースと、を備え、前記ロアケースは、前記ロアケースから上方に突出すると共に前記端子と接触することにより前記端子を前記ロアケースに対して位置合わせする端子位置合わせ部と、前記ロアケースから上方に突出すると共に前記位置合わせ孔内に挿通されるケース位置合わせ部と、を有する。
【００１２】
上記の構成によれば、端子を、端子位置合わせ部に接触させることにより、端子とロアケースとの位置合わせをすることができる。
【００１３】
また、ロアケースのケース位置合わせ部を、アッパーケースの位置合わせ孔に挿通させることによりロアケースとアッパーケースとの位置合わせをすることができる。これにより、ロアケースに位置合わせされた端子のボルトと、アッパーケースに配設された機器に設けられたバスバーの貫通孔とを、容易に位置合わせすることができる。
【００１４】
ボルトが貫通孔に貫通した状態で、ナットをボルトに螺合させることにより、端子とナットとが相対的に接近する。ボルトが配設された端子は電線に接続されているので、容易に移動することができる。これにより、バスバーと端子との間に隙間が生じる場合であっても、端子が移動することによって、バスバー及び端子に歪みが生じることを抑制しつつ、端子とバスバーとをボルト締結することができる。この結果、回路構成体を構成する各部品の寸法精度を高めることなく、端子とバスバーとの位置合わせを容易に行うことができる。
【００１５】
本明細書に開示された技術の実施態様としては以下の態様が好ましい。
【００１６】
前記ナットが前記ボルトに螺合されて、前記ナットと前記端子との間に前記バスバーが挟み付けられた状態で、前記端子は前記端子位置合わせ部と離間している。
【００１７】
上記の構成によれば、振動により、端子と端子位置合わせ部とが接触して異音が発生することを抑制することができる。
【００１８】
前記ロアケースは、前記ロアケースから突出する抜け止め部を有し、前記抜け止め部は、前記端子と対向する対向部を有する。
【００１９】
上記の構成によれば、端子がロアケースから離れる方向の力を受けた場合に、端子と対向部とが接触する。これにより、端子が、対向部が設けられた位置よりも上方に移動することが抑制されるようになっている。
【００２０】
前記バスバーのうち前記端子と対向する面には、前記貫通孔の孔縁部にテーパ面が形成されている。
【００２１】
上記の構成によれば、ボルトの先端がテーパ面に接触することにより、ボルトが貫通孔の内方に案内されようになっている。これにより、端子とバスバーとの位置合わせを更に容易に行うことができる。
【発明の効果】
【００２２】
本明細書に開示された技術によれば、回路構成体について、組み付け作業時の位置合わせを簡略化することができる。
【図面の簡単な説明】
【００２３】
【図１】実施形態１に係る回路構成体を示す斜視図
【図２】回路構成体を示す分解斜視図
【図３】回路構成体を示す背面図
【図４】回路構成体を示す平面図
【図５】図４におけるＡ−Ａ線断面図
【図６】ロアケースを示す平面図
【図７】ロアケースに、電線に接続された端子を組み付ける工程を示す、図４におけるＡ−Ａ線に相当する線で切断された断面図
【図８】ロアケースに、電線に接続された端子が載置された状態を示す、図４におけるＡ−Ａ線に相当する線で切断された断面図
【図９】ロアケースに、電線に接続された端子が載置された状態を示す平面図
【図１０】ロアケースにアッパーケースを組み付ける工程を示す、図４におけるＢ−Ｂ線に相当する線で切断された断面図
【図１１】ロアケースにアッパーケースを組み付ける工程を示す、図４におけるＣ−Ｃ線に相当する線で切断された断面図
【図１２】ボルトが貫通孔に挿通される工程を示す、図４におけるＢ−Ｂ線に相当する線で切断された断面図
【図１３】ロアケースのフランジ載置部に、アッパーケースのフランジが載置された状態を示す、図４におけるＡ−Ａ線に相当する線で切断された断面図
【図１４】ボルトの軸部にナットを螺合する工程を示す、図４におけるＡ−Ａ線に相当する線で切断された断面図
【発明を実施するための形態】
【００２４】
＜実施形態１＞
本明細書に開示された技術の実施形態１を図１から図１４を参照しつつ説明する。本実施形態に係る回路構成体１０は、電気自動車、ハイブリッド車等の車両（図示せず）に搭載されて、電源から車載電装品に電力を通電、又は断電する。以下の説明においては、Ｚ方向を上方とし、Ｙ方向を前方とし、Ｘ方向を左方として説明する。なお、複数の同一部材については、一部の部材に符号を付し、他の部材については符号を省略する場合がある。
【００２５】
回路構成体１０
図１及び図２に示すように、回路構成体１０は、ロアケース１１と、このロアケース１１に上方から組み付けられるアッパーケース１２と、アッパーケース１２に配設されたインダクタ１３（機器の一例）に設けられたバスバー１４と、バスバー１４に電気的に接続される端子１５と、を備える。
【００２６】
アッパーケース１２
アッパーケース１２は、金属製であって、溶接、ダイキャスト、鋳造等、公知の手法により、所定の形状に形成される。アッパーケース１２を構成する金属としては、アルミニウム、アルミニウム合金、ステンレス等、公知の材料を適宜に選択できる。
【００２７】
アッパーケース１２は、上下方向に開口しており、上方から見て、前後方向に延びた枠状をなしている。アッパーケース１２は、４つの側壁を有する。左側壁及び右側壁の、それぞれの下端縁には、左右方向について外方に突出したフランジ１６が設けられている。各フランジ１６の後端部寄りの位置には、フランジ１６を上下方向に貫通する位置合わせ孔１７が設けられている。位置合わせ孔１７の断面は円形状をなしている。
【００２８】
図２に示すように、アッパーケース１２には、左側壁、右側壁、及び後壁を連結する台部１８が設けられている。台部１８は上下方向に扁平な板状をなしている。台部１８の上にはインダクタ１３が、ネジ止め等の公知の手法により配設されている。台部１８の後端縁と、アッパーケース１２の後壁との間には、バスバー１４が挿通されるバスバー挿通孔４３が、台部１８を貫通して形成されている。
【００２９】
インダクタ１３は、コイル、リレー、トランス等であって、内部にコイルを含む。インダクタ１３は全体として直方体形状をなしている。インダクタ１３の上面には、複数（本実施形態では２つ）のバスバー１４が、電気的に接続されている。
【００３０】
バスバー１４は、金属板材をプレス加工することにより所定の形状に形成してなる。バスバー１４を構成する金属としては、銅、銅合金、アルミニウム、アルミニウム合金等、任意の金属を適宜に選択できる。バスバー１４は、左右方向から見てクランク状に屈曲しており、上板部１９と、上板部１９の後端縁から下方に延びる側板部２０と、側板部２０の下端縁から後方に延びる下板部２１と、を有する（図２参照）。
【００３１】
バスバー１４の上板部１９は、インダクタ１３の上面に重ねられた状態で、インダクタ１３に、ネジ止め、溶接、半田付け等の公知の手法により接続されている。バスバー１４の側板部２０は、インダクタ１３の後壁に沿って下方に延びている。バスバー１４の下板部２１には、上下方向に貫通する貫通孔２２が設けられている。下板部２１の下面には、貫通孔２２の孔縁部に、下方に向かうに従って拡径するテーパ面２３が形成されている（図１０参照）。
【００３２】
端子１５
図２に示すように、電線２４の前端部には端子１５が接続されている。また、図３に示すように、電線２４は、金属製の芯線２５と、芯線２５の外周を覆う絶縁被覆２６と、を有する。芯線２５を構成する金属としては、銅、銅合金、アルミニウム、アルミニウム合金等、任意の金属を適宜に選択できる。絶縁被覆２６は、絶縁性の合成樹脂からなる。
【００３３】
図７に示すように、端子１５は、絶縁被覆２６の外側から絶縁被覆２６に巻き付くように圧着するインシュレーションバレル２７と、インシュレーションバレル２７の前方に連なって芯線２５の外側から芯線２５に巻き付くように圧着するワイヤーバレル２８と、ワイヤーバレル２８の前方に細長く延びた板状をなす板部２９と、板部２９の前端部寄りの位置に配設されたボルト３０と、を有する。板部２９は、前端部が丸められたタブ状をなしている。
【００３４】
ボルト３０は、上下方向に延びる軸部３１と、軸部３１の下端部に設けられて、板部２９に対して、溶接、圧入等の公知の手法により組み付けられる固定部３２と、を有する。軸部３１は上下方向に延びる丸棒状又は円柱形状をなしている。軸部３１の外周にはねじ山が形成されている。固定部３２は、軸部３１よりも径大に形成されている。
【００３５】
本実施形態に係るボルト３０は、板部２９に形成されたボルト貫通孔に下方から軸部３１を挿入し、ボルト貫通孔の孔縁部と、固定部３２とを、溶接することにより、端子１５に固定されている。
【００３６】
ナット３３
図３及び図５に示すように、ボルト３０の軸部３１には、ナット３３が螺合されるようになっている。軸部３１にナット３３が螺合されることにより、ナット３３と板部２９とが相対的に接近するようになっている。
【００３７】
ロアケース１１
ロアケース１１は、絶縁性の合成樹脂を射出成型することにより形成される。ロアケース１１は、全体として、上下方向に扁平な形状をなしている。ロアケース１１の上面には、左右両端部寄りの位置に、アッパーケース１２のフランジ１６が上方から載置されるフランジ載置部３４が設けられている。各フランジ載置部３４の左右方向の幅寸法は、フランジ１６の左右方向の幅寸法よりも大きく設定されている。
【００３８】
図６に示すように、フランジ載置部３４の前端部寄りの位置には、上方に突出するケース位置合わせ部３５が形成されている。ケース位置合わせ部３５は上下方向に細長く延びた円柱形状をなしている。ケース位置合わせ部３５の外形寸法は、フランジ１６に設けられた位置合わせ孔１７の内径寸法と、同じか、又は小さく設定されている。
【００３９】
ロアケース１１の左右方向の中央付近には、前後方向に延びると共にフランジ載置部３４よりも下方に窪んだ形状をなす、複数（本実施形態では２つ）の電線載置部３６が、左右方向に並んで設けられている。電線載置部３６は、ロアケース１１の前端部からやや後方の位置から、後方に延びて形成されている。なお、電線載置部３６の前端部寄りの領域においては、電線２４に接続された端子１５の板部２９も配されるようになっている。
【００４０】
電線載置部３６の前方の位置には、電線２４の端末に接続された端子１５の板部２９が載置可能な端子載置部３７が設けられている。端子載置部３７は、上下方向に延びると共に、肉抜きが施された円筒形状をなしている。端子載置部３７の左右方向についての幅寸法は、端子１５の板部２９の左右方向についての幅寸法と、同じか、又はやや大きく設定されている。図６に示すように、電線載置部３６の中央位置と、ケース位置合わせ部３５とは、左右方向について略一列に並んで配されている。
【００４１】
端子載置部３７の前方には、前壁３８（端子位置合わせ部の一例）が上下方向に延びて形成されている。前壁３８の左右方向についての幅寸法は、端子載置部３７の左右方向についての幅寸法よりもやや大きく設定されている。前壁３８の左端部には、後方に延びる左壁３９（端子位置合わせ部の一例）が設けられている。前壁３８の右端部には、後方に延びる右壁４０（端子位置合わせ部の一例）が設けられている。左壁３９及び右壁４０の後端部は、端子載置部３７の前後方向についての中央部分まで延びている。上方から見て、前壁３８と左壁３９と右壁４０とは、門形状をなしている。
【００４２】
端子載置部３７の後方の位置であって、電線載置部３６の前端部寄りの位置には、電線載置部３６の底壁から上方に突出する一対の抜け止め部４１が形成されている。一対の抜け止め部４１は左右方向について並んで形成されている。一対の抜け止め部４１の左右方向についての間隔は、端子１５の板部２９の左右方向についての幅寸法と同じか、又はやや大きく設定されている。一対の抜け止め部４１は、上下方向に延びる板状をなしており、左右方向について弾性変形可能に形成されている。
【００４３】
一対の抜け止め部４１の先端には、それぞれ、左右方向について内方に突出する対向部４２が形成されている。対向部４２は、端子載置部３７に端子１５が載置された状態で、端子１５の板部２９と対向するようになっている。
【００４４】
実施形態の組み付け工程
続いて、本実施形態に係る回路構成体１０の組み付け工程の一例について説明する。回路構成体１０の組み付け工程は、以下の記載に限定されてない。
【００４５】
端子１５の板部２９に、公知の溶接手法によりボルト３０の固定部３２を溶接する。電線２４の絶縁被覆２６を皮剥ぎして芯線２５を露出される。露出した芯線２５に端子１５のワイヤーバレル２８を圧着すると共に、絶縁被覆２６にインシュレーションバレル２７を圧着する。
【００４６】
アルミニウム合金をダイキャスト成型することによりアッパーケース１２を形成する。アッパーケース１２の台部１８にインダクタ１３を取り付ける。インダクタ１３にバスバー１４を固定する。
【００４７】
図７に示すように、上方から（矢線Ｄで示す方向から）、ロアケース１１の端子載置部３７に端子１５の板部２９を、ボルト３０が上方を向くように載置すると共に、電線載置部３６に電線２４を載置する。このとき、板部２９の前端部が、前壁３８に後方から接触するようにして、端子１５を端子載置部３７に配置する（図８及び図９参照）。このように、ボルト３０にナット３３が螺合される前の状態においては、端子１５の板部２９は端子載置部３７に載置され、電線２４は電線載置部３６に載置される。
【００４８】
板部２９と、ロアケース１１の左壁３９及び右壁４０とは、離間していてもよいし、接触していてもよい。更に、端子１５の板部２９の前端部を前壁３８に後方から接触するようにして端子１５を端子載置部３７に載置した後に、電線２４が屈曲することにより、板部２９が前壁３８から離間してもよい。端子１５の板部２９が、前壁３８、左壁３９、及び右壁４０に囲まれた空間内に配されることにより、端子１５がロアケース１１に対して位置合わせされる。
【００４９】
ロアケース１１に対して、上方から、アッパーケース１２を接近させる。図１０に示すように、ロアケース１１のケース位置合わせ部３５と、アッパーケース１２の位置合わせ孔１７とを整合させる。ケース位置合わせ部３５と位置合わせ孔１７とが整合した状態で、アッパーケース１２を更にロアケース１１に接近させる。
【００５０】
更に、アッパーケース１２を下方に移動させると、ボルト３０の先端が、バスバー１４の貫通孔２２の孔縁部に形成されたテーパ面２３に下方から当接する。すると、ボルト３０がテーパ面２３に案内されることにより、端子１５がバスバー１４に対して相対的に移動し、端子１５のボルト３０と、バスバー１４の貫通孔２２とが整合した配置となる（図１２参照）。
【００５１】
更に、アッパーケース１２をロアケース１１に接近させて、アッパーケース１２のフランジ１６を、ロアケース１１のフランジ載置部３４に載置する（図１３参照）。フランジ１６がフランジ載置部３４に載置された状態において、バスバー１４と、端子１５の板部２９とは、上下方向について離間している。
【００５２】
図１４に示すように、ボルト３０の軸部３１先端にナット３３を螺合させる。ナット３３をトルクレンチ等により回転させることにより、ボルト３０に固定された板部２９が上昇し、端子載置部３７から板部２９が離間する。所定の締結力によりナット３３とボルト３０とを締結することにより、ナット３３と板部２９との間にバスバー１４が挟み付けられた状態になる（図５参照）。これにより、バスバー１４と端子１５とが電気的に接続される。ナット３３と、端子１５の板部２９との間にバスバー１４が挟み付けられた状態では、端子１５の板部２９は、端子載置部３７から離間している。また、端子１５の板部２９の側縁は、前壁３８の上端部、左壁３９の上端部、及び右壁４０の上端部よりも上方に位置するようになっている。これにより、ナット３３と、端子１５の板部２９との間にバスバー１４が挟み付けられた状態では、端子１５の板部２９は、前壁３８、左壁３９、及び右壁４０と離間している。以上により、回路構成体１０が完成する。
【００５３】
本実施形態の作用効果。
続いて、本実施形態の作用効果について説明する。本実施形態に係る回路構成体１０は、位置合わせ孔１７を有するアッパーケース１２と、アッパーケース１２に配設されたインダクタ１３に設けられると共に貫通孔２２を有するバスバー１４と、電線２４に接続されると共に、貫通孔２２を貫通するボルト３０が配設された端子１５と、ボルト３０に螺合されることにより、端子１５との間でバスバー１４を挟み付けるナット３３と、アッパーケース１２に組み付けられるロアケース１１と、を備え、ロアケース１１は、ロアケース１１から上方に突出すると共に端子１５と接触することにより端子１５をロアケース１１に対して位置合わせする前壁３８、左壁３９及び右壁４０と、ロアケース１１から上方に突出すると共に位置合わせ孔１７内に挿通されるケース位置合わせ部３５と、を有する。
【００５４】
上記の構成によれば、端子１５を、前壁３８、左壁３９及び右壁４０のいずれか一つに接触させるようにしてロアケース１１に載置することにより、端子１５とロアケース１１との位置合わせをすることができる。このとき、端子１５がロアケース１１に載置された後においては、端子１５の前端部が前壁３８、左壁３９及び右壁４０に囲まれた空間内に位置することにより、端子１５とロアケース１１との位置合わせがなされるようになっている。
【００５５】
また、ロアケース１１のケース位置合わせ部３５を、アッパーケース１２の位置合わせ孔１７に挿通させることによりロアケース１１とアッパーケース１２との位置合わせをすることができる。これにより、ロアケース１１に位置合わせされた端子１５のボルト３０と、アッパーケース１２に配設されたインダクタ１３に設けられたバスバー１４の貫通孔２２とを、容易に位置合わせすることができる。
【００５６】
ボルト３０が貫通孔２２に貫通した状態で、ナット３３をボルト３０に螺合させることにより、端子１５とナット３３とが相対的に接近する。ボルト３０が配設された端子１５は電線２４に接続されているので、容易に移動することができる。これにより、バスバー１４と端子１５との間に隙間が生じる場合であっても、端子１５が移動することによって、バスバー１４及び端子１５に歪みが生じることを抑制しつつ、端子１５とバスバー１４とをボルト締結することができる。この結果、回路構成体１０を構成する各部品の寸法精度を高めることなく、端子１５とバスバー１４との位置合わせを容易に行うことができる。
【００５７】
また、本実施形態によれば、ナット３３がボルト３０に螺合された状態で、端子１５は前壁３８、左壁３９、及び右壁４０と離間している。
【００５８】
上記の構成によれば、振動により、端子１５と、前壁３８、左壁３９、及び右壁４０とが接触して異音が発生することを抑制することができる。
【００５９】
また、本実施形態によれば、ロアケース１１は、ロアケース１１から突出する抜け止め部４１を有し、抜け止め部４１は、端子１５と対向する対向部４２を有する。
【００６０】
上記の構成によれば、端子１５がロアケース１１から離れる方向の力を受けた場合に、端子１５と対向部４２とが接触する。これにより、端子１５が、対向部４２が設けられた位置よりも上方に移動することが抑制されるようになっている。
【００６１】
また、本実施形態によれば、バスバー１４のうち端子１５と対向する面には、貫通孔２２の孔縁部にテーパ面２３が形成されている。
【００６２】
上記の構成によれば、ボルト３０の先端がテーパ面２３に接触することにより、ボルト３０が貫通孔２２の内方に案内されようになっている。これにより、端子１５とバスバー１４との位置合わせを更に容易に行うことができる。
【００６３】
＜他の実施形態＞
本明細書に開示された技術は上記記述及び図面によって説明した実施形態に限定されるものではなく、例えば次のような実施形態も本明細書に開示された技術の技術的範囲に含まれる。
【００６４】
（１）本実施形態においては、アッパーケース１２は概ね枠状をなしていたが、これに限られず、例えば下方に開口する箱状をなしていてもよく、アッパーケース１２の形状は任意である。
【００６５】
（２）機器は、インダクタ１３に限定されず、半導体スイッチング素子、コンデンサ等、任意の電子部品としてもよい。
【００６６】
（３）前壁３８、左壁３９、及び右壁４０は、ナット３３をボルト３０に締結した後も、端子１５と接触していてもよい。
【００６７】
（４）バスバー１４に設けられたテーパ面２３は省略してもよい。
【００６８】
（５）電線２４は裸電線でもよい。
【００６９】
（６）本実施形態では、ケース位置合わせ部３５は、合成樹脂を射出成型することによりロアケース１１と一体に形成される構成としたが、これに限られず、金属製のケース位置合わせ部３５をインサート成形することによりロアケース１１を形成してもよい。
【００７０】
（７）電線２４の断面形状は、円形状に限られず、長円形状、長方形状等、任意の形状を採用することができる。
【００７１】
（８）端子１５の個数、バスバー１４の個数は、１つでもよく、また、３つ以上の複数でもよい。
【符号の説明】
【００７２】
１０：回路構成体
１１：ロアケース
１２：アッパーケース
１３：インダクタ（機器の一例）
１４：バスバー
１５：端子
１７：位置合わせ孔
２２：貫通孔
２３：テーパ面
２４：電線
３０：ボルト
３３：ナット
３５：ケース位置合わせ部
３８：前壁（端子位置合わせ部の一例）
３９：左壁（端子位置合わせ部の一例）
４０：右壁（端子位置合わせ部の一例）
４１：抜け止め部
４２：対向部
【図１】
2020092023.tif 000003
【図２】
2020092023.tif 000004
【図３】
2020092023.tif 000005
【図４】
2020092023.tif 000006
【図５】
2020092023.tif 000007
【図６】
2020092023.tif 000008
【図７】
2020092023.tif 000009
【図８】
2020092023.tif 000010
【図９】
2020092023.tif 000011
【図１０】
2020092023.tif 000012
【図１１】
2020092023.tif 000013
【図１２】
2020092023.tif 000014
【図１３】
2020092023.tif 000015
【図１４】
2020092023.tif 000016